(57)【要約】【課題】不正開放操作時に、開閉部材の開放を確実に抑止又は防止し得る構成を提供する。【解決手段】遊技機用可変入賞装置１０には、前後方向にスライド移動する開閉部材２１と連動するように配置されると共に駆動源４０の駆動力を受けて動作する１又は複数の部材からなる伝達機構３０が設けられている。開閉部材２１が閉鎖位置にある状態で開放位置に変位させようとする外力が加えられた場合に、これら部材のいずれかに形成された規制部３２ｆによって、互いに連係する他の部材の動作が規制される。そして、補助ストッパー８２ｒは、さらに開閉部材２１を開放位置に変位させようとする外力が加えられた場合に、規制部３２ｆが該規制部３２ｆの移動経路を離脱して移動又は変形したときに、規制部３２ｆが当接し、開閉部材２１の開状態への移行を阻止するようになっている。【選択図】図８
2014136092.tif 000002
【特許請求の範囲】
【請求項１】
遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
少なくとも前記遊技盤の前面の前方側において前記誘導口を閉鎖可能な閉鎖部を備え、前記閉鎖部が前記誘導口を閉鎖する閉鎖位置と、前記閉鎖位置のときよりも遊技球が進入しやすい開放位置とで変位する構成をなし、前記前後方向にスライド移動する開閉部材と、
前記開閉部材を前記閉鎖位置と前記開放位置との間で変位させる駆動源と、
前記開閉部材と連動するように配置されると共に前記駆動源の駆動力を受けて動作する１又は複数の部材からなる伝達機構と、
を有し、
前記開閉部材、前記伝達機構のいずれかの部材には、前記開閉部材が前記閉鎖位置にある状態で前記開閉部材、前記伝達機構の少なくともいずれかの他の部材の移動経路上に配置され、当該他の部材の移動を規制可能な規制部が形成されており、
前記筺体には、前記規制部の移動経路外に位置し、前記規制部が前記他の部材の移動を規制する際に当該規制部の移動又は変形を規制可能な補助ストッパーが形成されており、
前記開閉部材が前記閉鎖位置にある状態で前記駆動源が駆動すると、前記開閉部材と前記伝達機構の連係動作が許容されて前記開閉部材が開閉する一方、
前記開閉部材が前記閉鎖位置にある状態で当該開閉部材を前記開放位置に変位させようとする外力が加えられた場合に、互いに連係する前記開閉部材、及び前記伝達機構のいずれかの前記他の部材の動作が、前記規制部によって規制されることで前記開閉部材の開放が阻止され、
前記補助ストッパーは、さらに前記開閉部材を前記開放位置に変位させようとする外力が加えられた場合に、前記規制部が該規制部の移動経路を離脱して移動又は変形したときに、前記規制部が当接し、前記開閉部材の開状態への移行を阻止することを特徴とする遊技機用可変入賞装置。
【請求項２】
前記駆動源の駆動力を受けて前記伝達機構、及び前記開閉部材が連係動作するときには、前記規制部は、前記いずれかの部材の回動動作又はスライド動作に応じて前記補助ストッパーに規制されない第１経路を通り、
前記開閉部材が前記閉鎖位置にある状態で当該開閉部材を前記開放位置に変位させようとする外力が加えられて前記規制部が前記第１経路を離脱移動又は変形する場合には、前記補助ストッパーは、前記規制部が前記他の部材からの押圧に応じて移動する第２経路上に位置することを特徴とする請求項１に記載の遊技機用可変入賞装置。
【請求項３】
前記伝達機構は、前記筐体内における前記開閉部材の上方又は下方若しくは側方の位置において所定の回動軸線回りに回動可能に保持され、且つ前記開閉部材と連動するように配置される第1伝達部材と、前記筐体内において所定の中心軸回りに回動可能に又は所定方向に沿ってスライド可能に保持され、前記駆動源の駆動力を受けて動作すると共にその駆動力を前記第1伝達部材に伝達する第２伝達部材とを備え、
前記第２伝達部材は、前記第１伝達部材を押圧可能な押圧作用部と、前記開閉部材が前記閉鎖位置にある状態で前記第１伝達部材の移動経路上に配置されると共に前記第１伝達部材の移動を規制可能な前記規制部とを有し、
前記開閉部材が前記閉鎖位置にある状態で前記駆動源が駆動するときには、前記規制部が前記第１伝達部材の移動経路上から退避しつつ前記押圧作用部が前記第１伝達部材を押圧することで、前記規制部が前記第１伝達部材の移動を規制せずに前記第１伝達部材が回動し、その回動動作に連係して前記開閉部材が前記開放位置へ移動し、
前記開閉部材が前記閉鎖位置にある状態で当該開閉部材を前記開放位置に変位させようとする外力が加えられた場合には、当該開閉部材と連動する前記第１伝達部材の移動経路上に前記規制部が位置することで前記第１伝達部材の回動動作及び前記開閉部材の変位が規制され、
前記補助ストッパーは、さらに前記開閉部材を前記開放位置に変位させようとする外力が加えられた場合に、前記規制部が該規制部の移動経路を離脱して移動又は変形するのを阻止することを特徴とする請求項１又は請求項２に記載の遊技機用可変入賞装置。
【請求項４】
前記規制部は、前記押圧作用部の一部として形成されていることを特徴とする請求項３に記載の遊技機用可変入賞装置。
【請求項５】
前記第１伝達部材は、前記閉鎖部の上面側又は下面側に配置され、
前記閉鎖部における前記第１伝達部材側の面には、前記開閉部材が前記閉鎖位置にある状態で前記第１伝達部材及び前記第２伝達部材の少なくともいずれかの移動経路上に配置され、いずれかの伝達部材の移動を規制可能な突出形態の前記規制部が形成されており、
前記開閉部材が前記閉鎖位置にある状態で前記駆動源による駆動力を受けて前記第２伝達部材が変位したときには、当該第２伝達部材及び前記第１伝達部材が、前記規制部の移動経路上から退避しつつ前記開閉部材を連動させることで、前記規制部が前記第２伝達部材及び前記第１伝達部材によって規制されずに前記開閉部材が前記開放位置へ移動し、
前記開閉部材が前記閉鎖位置にある状態で前記開閉部材を前記開放位置に変位させようとする外力が加えられた場合には、前記第１伝達部材及び前記第２伝達部材の少なくともいずれかが前記規制部の移動経路上に位置することで前記開閉部材の変位が規制され、
前記補助ストッパーは、さらに前記開閉部材を前記開放位置に変位させようとする外力が加えられて前記規制部が移動又は変形する場合に、前記規制部の移動経路上に位置して当該規制部の移動又は変形を阻止することを特徴とする請求項１又は請求項２に記載の遊技機用可変入賞装置。
【請求項６】
前記開閉部材には、前記第１伝達部材から作用を受ける被作用部が形成されており、
前記第１伝達部材及び前記第２伝達部材は、前記開閉部材の上方又は下方若しくは側方において前記被作用部を前記遊技盤の後面よりも前方側の範囲で動作させるように構成され、
前記開閉部材は、前記開放位置にあるときに当該開閉部材の後端が前記遊技盤の後面と同位置又は当該後面の前方に位置するように構成されていることを特徴とする請求項１から請求項５のいずれか一項に記載の遊技機用可変入賞装置。
【請求項７】
前記第1伝達部材は、前記上下方向に沿った前記回動軸線回りに回動可能に保持され、
前記第２伝達部材は、前記上下方向に沿った前記中心軸回りに回動可能に又は前記左右方向に沿ってスライド可能に保持されることを特徴とする請求項１から請求項６のいずれか一項に記載の遊技機用可変入賞装置。
【請求項８】
請求項１から請求項７のいずれか一項に記載の遊技機用可変入賞装置を備えていることを特徴とする遊技機。
【発明の詳細な説明】
【技術分野】
【０００１】
本発明は、遊技機用可変入賞装置及びそれを備えた遊技機に関するものである。
【背景技術】
【０００２】
アタッカーとも称される大入賞装置は、入賞口を開閉部材によって開閉する構成のものが多く、一般的には、開閉部材の下端側を軸として上端側を前方に向けて開放動作して入賞口を開放するようにしており、近年では閉鎖状態のときに開閉部材を遊技盤の前方に突出させて入賞口を閉鎖し、開放状態のときには開閉部材を遊技盤の前方から後退させて入賞口を開放するようにしている。
【０００３】
このような入賞装置の例としては、例えば特許文献１のようなものが提供されている。この特許文献１で開示される遊技部品（１７）は、遊技者に有利な第１状態（Ｙ）と不利な第２状態（Ｘ）との間で前後方向に変換動作可能な変換部材（４８）と、この変換部材（４８）を第１状態（Ｙ）と第２状態（Ｘ）とに変換駆動する駆動手段（４９）とを有しており、変換部材（４８）が第１状態（Ｙ）となるときに遊技球が入賞または通過するように構成され、第２状態（Ｘ）となるときには遊技球の入賞又は通過を阻止するように構成されている。
【先行技術文献】
【特許文献】
【０００４】
【特許文献１】特開２０１１−４５４９１号公報
【発明の概要】
【発明が解決しようとする課題】
【０００５】
ところで、上記のような入賞装置では、非動作時に開閉部材が不正に開放される虞があるため、このような開放を効果的に防止し得る構造が望まれている。特許文献１の遊技部品（１７）は、このような問題に着目したものであり、不正開放を防止するためのロック手段（５１）を備えた構成となっている。このロック手段（５１）は、開閉部材（４８）を第２状態（Ｘ）でロックするように機能し、開閉部材（４８）の第２状態（Ｘ）で第１連動部材（８６）の係合部（９３）が第２連動部材（８８）の被係合部（９２）に下側から係合して、ロック手段（５１）が第２連動部材（８８）を介して開閉部材（４８）を第２状態（Ｘ）にロックしている。また、駆動手段（４９）が開閉部材（４８）を第２状態（Ｘ）から第１状態（Ｙ）に変換する場合には、開閉部材（４８）の駆動前にそのロックを解除するようになっている。
【０００６】
しかしながら、このような入賞装置では、通常、開閉部材（４８）のロック機構を構成する部材（開閉部材（４８）、第１連動部材（８６）及び第２連動部材（８８））が樹脂材料によって形成されるため、これらの部材が他の部材によって規制される（又は規制する）際に、大きな荷重を受けることになると、これらの部材に捻れや曲がり等の変形が生じる虞がある。そして、変形が生じたことによって当該部材が他の部材を規制し続けることができない場合には、ロック機構によるロックが解除されてしまい、開閉部材（４８）の不正開放を阻止することができなくなる。
【０００７】
本発明は、上述した課題を解決するためになされたものであり、遊技球を内部に誘導可能に構成された遊技機用可変入賞装置及びこれを備えた遊技機において、不正開放操作時に、開閉部材の開放を確実に抑止又は防止し得る構成を実現することを目的とする。
【課題を解決するための手段】
【０００８】
本発明の遊技機用可変入賞装置は、遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
少なくとも前記遊技盤の前面の前方側において前記誘導口を閉鎖可能な閉鎖部を備え、前記閉鎖部が前記誘導口を閉鎖する閉鎖位置と、前記閉鎖位置のときよりも遊技球が進入しやすい開放位置とで変位する構成をなし、前記前後方向にスライド移動する開閉部材と、
前記開閉部材を前記閉鎖位置と前記開放位置との間で変位させる駆動源と、
前記開閉部材と連動するように配置されると共に前記駆動源の駆動力を受けて動作する１又は複数の部材からなる伝達機構と、
を有し、
前記開閉部材、前記伝達機構のいずれかの部材には、前記開閉部材が前記閉鎖位置にある状態で前記開閉部材、前記伝達機構の少なくともいずれかの他の部材の移動経路上に配置され、当該他の部材の移動を規制可能な規制部が形成されており、
前記筺体には、前記規制部の移動経路外に位置し、前記規制部が前記他の部材の移動を規制する際に当該規制部の移動又は変形を規制可能な補助ストッパーが形成されており、
前記開閉部材が前記閉鎖位置にある状態で前記駆動源が駆動すると、前記開閉部材と前記伝達機構の連係動作が許容されて前記開閉部材が開閉する一方、
前記開閉部材が前記閉鎖位置にある状態で当該開閉部材を前記開放位置に変位させようとする外力が加えられた場合に、互いに連係する前記開閉部材、及び前記伝達機構のいずれかの前記他の部材の動作が、前記規制部によって規制されることで前記開閉部材の開放が阻止され、
前記補助ストッパーは、さらに前記開閉部材を前記開放位置に変位させようとする外力が加えられた場合に、前記規制部が該規制部の移動経路を離脱して移動又は変形したときに、前記規制部が当接し、前記開閉部材の開状態への移行を阻止することを特徴とする。
【０００９】
本発明の遊技機は、上記遊技機用可変入賞装置を備えていることを特徴とする。
【発明の効果】
【００１０】
本発明の遊技機用可変入賞装置及び遊技機によれば、開閉部材が閉鎖位置にある状態で当該開閉部材を開放位置に変位させようとする外力が加えられた場合に、互いに連係する開閉部材、伝達機構のいずれかの部材の動作が、規制部によって規制されることで開閉部材の開放が阻止される構成となっている。そして、補助ストッパーは、さらに開閉部材を開放位置に変位させようとする外力が加えられて規制部が移動又は変形しようとしても、規制部の移動経路からの離脱を阻止する位置に位置して当該規制部の移動又は変形を規制するようになっている。つまり、開閉部材の不正開放操作が行われ、開閉部材、伝達機構が他の部材によって規制される（又は規制する）際に、他の部材からの押圧等の大きな荷重を受けて規制部が移動又は変形しようとしても、補助ストッパーが規制部の移動経路からの離脱を阻止する位置にあるため、規制部が当接して当該規制部がさらに移動及び変形（捻れや曲がり等）することを効果的に抑制することができる。これによって、規制部と他の部材との係合（ロック状態）が解除することがなくなり、他の部材の移動を規制しロック状態を維持し続けることができ、開閉部材の不正開放を確実に抑止又は防止することができる。
【００１１】
また、本発明において、駆動源の駆動力を受けて伝達機構、及び開閉部材が連係動作するときには、規制部は、いずれかの部材の回動動作又はスライド動作に応じて補助ストッパーに規制されない第１経路を通り、開閉部材が閉鎖位置にある状態で当該開閉部材を開放位置に変位させようとする外力が加えられて規制部が第１経路を離脱移動又は変形する場合には、補助ストッパーは、規制部が他の部材からの押圧に応じて移動する第２経路上に位置するように構成されていてもよい。
【００１２】
この構成によれば、開閉部材が閉鎖位置にあるとき、駆動源の駆動力による正常な開放動作がなされるときには、補助ストッパーが規制部の移動する経路上に位置することなく規制部の移動を妨害せず、問題なく開閉部材を開放することができ、一方で、駆動源の駆動力によらずに外力によって不正な開放動作がなされるときには、規制部によって連係動作するいずれかの部材の動きを規制すると共に、補助ストッパーが規制部の移動経路上に位置することで規制部の移動及び変形を規制することにより、開閉部材の開放を確実に阻止することができるようになっている。
【００１３】
また、本発明において、伝達機構は、筐体内における開閉部材の上方又は下方若しくは側方の位置において所定の回動軸線回りに回動可能に保持され、且つ開閉部材と連動するように配置される第1伝達部材と、筐体内において所定の中心軸回りに回動可能に又は所定方向に沿ってスライド可能に保持され、駆動源の駆動力を受けて動作すると共にその駆動力を第1伝達部材に伝達する第２伝達部材とを備え、第２伝達部材は、第１伝達部材を押圧可能な押圧作用部と、開閉部材が閉鎖位置にある状態で第１伝達部材の移動経路上に配置されると共に第１伝達部材の移動を規制可能な規制部とを有し、開閉部材が閉鎖位置にある状態で駆動源が駆動するときには、規制部が第１伝達部材の移動経路上から退避しつつ押圧作用部が第１伝達部材を押圧することで、規制部が第１伝達部材の移動を規制せずに第１伝達部材が回動し、その回動動作に連係して開閉部材が開放位置へ移動し、開閉部材が閉鎖位置にある状態で当該開閉部材を開放位置に変位させようとする外力が加えられた場合には、当該開閉部材と連動する第１伝達部材の移動経路上に規制部が位置することで第１伝達部材の回動動作及び開閉部材の変位が規制され、補助ストッパーは、さらに開閉部材を開放位置に変位させようとする外力が加えられた場合に、規制部が該規制部の移動経路を離脱して移動又は変形するのを阻止するように構成されていてもよい。
【００１４】
この構成によれば、通常時には第１伝達部材と第２伝達部材を連係動作可能とし、不正開放操作時には第１伝達部材の移動経路を第２伝達部材によって阻害すると共に、補助ストッパーによって規制部の移動又は変形を阻止する構成を、第２伝達部材に押圧作用部及び規制部を設けるという簡易な構成を要部として実現することができる。
【００１５】
また、本発明において、規制部は、押圧作用部の一部として形成されように構成されていてもよい。この構成によれば、部品構成の簡素化、小型化を図りやすくなる。
【００１６】
また、本発明において、第１伝達部材は、閉鎖部の上面側又は下面側に配置され、閉鎖部における第１伝達部材側の面には、開閉部材が閉鎖位置にある状態で第１伝達部材及び第２伝達部材の少なくともいずれかの移動経路上に配置され、いずれかの伝達部材の移動を規制可能な突出形態の規制部が形成されており、開閉部材が閉鎖位置にある状態で駆動源による駆動力を受けて第２伝達部材が変位したときには、当該第２伝達部材及び第１伝達部材が、規制部の移動経路上から退避しつつ開閉部材を連動させることで、規制部が第２伝達部材及び第１伝達部材によって規制されずに開閉部材が開放位置へ移動し、開閉部材が閉鎖位置にある状態で開閉部材を開放位置に変位させようとする外力が加えられた場合には、第１伝達部材及び第２伝達部材の少なくともいずれかが規制部の移動経路上に位置することで開閉部材の変位が規制され、前記補助ストッパーは、さらに前記開閉部材を前記開放位置に変位させようとする外力が加えられて前記規制部が移動又は変形する場合に、前記規制部の移動経路上に位置して当該規制部の移動又は変形を阻止するように構成されていてもよい。
【００１７】
この構成によれば、通常時には開閉部材が第２伝達部材及び第１伝達部材によって規制されずに開閉動作し、不正開放操作時には開閉部材の移動経路を第１伝達部材及び第２伝達部材の少なくともいずれかによって阻害して開放を阻止しうる構成を、開閉部材の所定位置に規制部を設けるという簡易な構成を要部として実現することができる。
【００１８】
また、本発明において、開閉部材には、第１伝達部材から作用を受ける被作用部が形成されており、第１伝達部材及び第２伝達部材は、開閉部材の上方又は下方若しくは側方において被作用部を遊技盤の後面よりも前方側の範囲で動作させるように構成され、開閉部材は、開放位置にあるときに当該開閉部材の後端が遊技盤の後面と同位置又は当該後面の前方に位置するように構成されていてもよい。
【００１９】
この構成によれば、入賞装置全体の前後方向の嵩張りを抑えることができ、特に入賞装置後方側において他部品のためのスペースを確保しやすくなる。
【００２０】
また、本発明において、第1伝達部材は、上下方向に沿った回動軸線回りに回動可能に保持され、第２伝達部材は、上下方向に沿った中心軸回りに回動可能に又は左右方向に沿ってスライド可能に保持されるように構成されていてもよい。
【００２１】
このように、開閉部材、可動部材、第１伝達部材、第２伝達部材が水平方向に沿って移動するように構成されているため上下方向の嵩張りを効果的に抑えることができる。その上、連係する開閉部材、第１伝達部材、及び第２伝達部材のいずれかの部材の水平方向に沿った動作が、そのいずれかの部材の水平方向に隣接する他の部材によって規制されることで開閉部材の開放が阻止されるようになっており、ロック機構についても、上下方向に嵩張らずに構成できる。このようにして、装置全体の上下方向の嵩張りを抑えつつ不正開放をより確実に防止し得る構成を実現できる。
【図面の簡単な説明】
【００２２】
【図１】図１は、本発明の第１実施形態に係る遊技機用可変入賞装置を備えた遊技機を例示する正面図である。
【図２】図２は、本発明の第１実施形態に係る遊技機用可変入賞装置の正面図である。
【図３】図３（Ａ）は、図２の遊技機用可変入賞装置に関し、開閉部材が閉鎖位置にあるときの平面図であり、図３（Ｂ）は、開閉部材が開放位置にあるときの平面図である。
【図４】図４（Ａ）は、図２のＡ−Ａ断面を概略的に示す断面図であり、図４（Ｂ）は、開閉部材が開放位置にあるときの図４（Ａ）に対応した断面図である。
【図５】図５は、図２の遊技機用可変入賞装置を前側の斜め上方から見た分解斜視図である。
【図６】図６（Ａ）は、図２の遊技機用可変入賞装置に関し、上ケース体及び下ケース体の組み立て状態を上方側から示す説明図であり、図６（Ｂ）は、その組み立て状態を後側の斜め上方から見た説明図である。
【図７】図７（Ａ）は、開閉部材が閉鎖位置にあるときの、開閉部材、第１伝達部材、第２伝達部材、及びソレノイドの連係状態を上方側から示す説明図であり、図７（Ｂ）は、開閉部材が開放位置にあるときの図７（Ａ）に対応した説明図である。
【図８】図８は、図２の遊技機用可変入賞装置に関し、開閉部材が閉鎖位置にある状態で外力が加えられたとき（ロック状態のとき）の第１伝達部材、第２伝達部材、及びソレノイドの連係状態を上方側から示す説明図である。
【図９】図９は、本発明の第２実施形態に係る遊技機用可変入賞装置における開閉部材が閉鎖位置にある状態で外力が加えられたとき（ロック状態のとき）の第１伝達部材、第２伝達部材、及びソレノイドの連係状態を上方側から示す説明図である。
【図１０】図１０は、本発明の第３実施形態に係る遊技機用可変入賞装置における断面図であり、図１０（Ａ）は、開閉部材が閉鎖位置にあるときの状態を示す断面図であり、図１０（Ｂ）は、開閉部材が開放位置にあるときの断面図である。
【発明を実施するための形態】
【００２３】
[第１実施形態]
以下、本発明に係る遊技機用可変入賞装置１０及びそれを備えた遊技機１を具現化した第１実施形態について、図面を参照して説明する。
（遊技機の構成）
まず、図１を参照して遊技機１の構成を概説する。図１に示す遊技機１は、いわゆるパチンコ機として構成されるものであり、木板（ベニヤ板）、アクリル板等によって構成される遊技盤２の盤面（前面２ｂ）に沿って遊技球Ｂの発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動誘導口７が配置されている。そして、液晶表示部３の下方側において、始動誘導口７の横方向に、本発明に係る遊技機用可変入賞装置１０が配置されている。なお、遊技機１には、遊技盤２の前方において当該遊技盤２の盤面（前面２ｂ）とほぼ平行に透明板（ガラス板等）が配置され、ガイドレール５等によって区画された遊技領域内において透明板と遊技盤２との間を遊技球Ｂが流下するように構成されている。
【００２４】
（遊技機用可変入賞装置の構成）
次に、第１実施形態に係る遊技機用可変入賞装置１０について説明する。
図１に示すように、遊技機用可変入賞装置１０（以下、入賞装置１０ともいう）は、遊技盤２に直接的に又は他部材を介して間接的に固定されて用いられるものであり、その一部が遊技盤２の前方側から視認可能となるように露出した状態で配置されている。この入賞装置１０は、図３及び図４に示すように遊技盤２の前面２ｂ（盤面）の前方側において上方側に開放した開口形態で配される誘導口２０を備えている。この誘導口２０は、後述する開閉部材２１によって開閉される構成をなしており、開閉部材２１が開放位置となったときに開放状態となり、前面２ｂに沿って流下する遊技球Ｂを内部に誘導することができるようになっている。なお、図３及び図４は、遊技盤２の前面２ｂ（盤面）及び後面２ｃの位置を二点鎖線にて仮想的に示している。
【００２５】
本明細書において、「前後方向」とは、遊技盤２の前面２ｂ（盤面）と直交する方向を意味し、前面２ｂ（盤面）に対し遊技者が位置するべき側を前方側、それとは反対側（即ち、遊技機１奥側）を後方側とする。また、「上下方向」とは、遊技盤２の前面２ｂと平行で遊技領域を遊技球Ｂが流下する方向（鉛直方向）を意味する。また、「左右方向」とは、上記「前後方向」及び「上下方向」と直交する方向を意味する。また、「水平方向」とは、上記「上下方向」と直交する平面方向（即ち、「前後方向」及び「左右方向」と平行な平面方向）を意味する。
【００２６】
ここで、図２〜図８等を参照し、入賞装置１０を構成する各部品について詳述する。
図４等に示すように、入賞装置１０は、遊技盤２に直接的に固定されると共に遊技盤２の前方側に当該遊技盤２の前面２ｂに沿って流下する遊技球Ｂを下方側に進入させつつ取り込む誘導口２０が形成されてなる筐体８０と、遊技盤２の前面２ｂの前方側において誘導口２０を閉鎖可能な閉鎖部２１ａを備え、閉鎖部２１ａが誘導口２０を閉鎖する閉鎖位置とその閉鎖位置のときよりも遊技球Ｂが進入しやすい開放位置とで変位する開閉部材２１と、駆動力を生じさせる駆動源４０とを備えている。更に、入賞装置１０は、開閉部材２１と連動可能に構成されると共に駆動源４０の駆動力を受けて開閉部材２１を前後に変位させる構成をなし、閉鎖位置のときには閉鎖部２１ａを遊技盤２の前方側に突出させて誘導口２０を閉鎖し、開放位置のときには閉鎖部２１ａを閉鎖状態のときよりも後退させて誘導口２０を開放するように開閉部材２１を変位させる伝達機構３０と、誘導口２０から内部に進入した遊技球Ｂを検出する球検出部６２とを備えている。
以下、各構成要素について詳述する。
【００２７】
まず、開閉部材２１について説明する。
開閉部材２１は、ポリアセタール等の樹脂により形成されており、図５等に示すように、長手状且つ略板状に構成されており、図３（Ａ）及び図４（Ａ）に示すように、筐体８０に形成された誘導口２０を閉塞し得るように当該筐体８０に保持されている。この開閉部材２１は、図３（Ａ）（Ｂ）及び図４（Ａ）（Ｂ）に示すように、遊技盤２の前面２ｂの前方側に突出して誘導口２０を閉鎖する位置（閉鎖位置（図３（Ａ）及び図４（Ａ）））と、その閉鎖位置のときよりも誘導口２０に遊技球Ｂが進入しやすくなる位置（開放位置（図３（Ｂ）及び図４（Ｂ）））とで変位するようになっている。
【００２８】
開閉部材２１は、図５に示すように、主として、略板状に形成され誘導口２０を閉鎖し得るように機能する閉鎖部２１ａと、開閉部材２１の下面側における後端部２１ｃ付近（後部側）かつ中央部付近から下方側に突出するように凸状に形成された被作用部２１ｂ（図４参照）とを備えている。また、開閉部材２１の前端は、図４に示すように、下面側が前方に向かって高位置となるように傾斜している。このような構成によって、開閉部材２１が閉鎖位置に変位する時に、遊技盤２の前方に配置される透明板（ガラス板等）と開閉部材２１の前端とによって遊技球Ｂが挟み込まれることがないようにしている。
【００２９】
開閉部材２１の左端は、上ケース体８２の左側ガイド部８２ｆ（図５、図６参照）及び前側ガイド部８７ｃに沿って移動するようになっており、開閉部材２１の右端は、上ケース体８２の右側ガイド部８２ｇ（図３（Ｂ）、図６参照）に沿って移動するようになっており、これにより安定的に開閉部材２１を開状態と閉状態に変位させることができる。
【００３０】
図４等に示す被作用部２１ｂは、開閉部材２１の後部側において伝達機構３０から作用を受けるように構成された部分であり、図４等に示すように後述する第１伝達部材３１と連結されるとともに、この第１伝達部材３１の先端部と連動して前後動するように構成されている。本構成では第１伝達部材３１（後述）が回動可能に構成され、その回動に応じて第１伝達部材３１の先端部に形成された作用部３１ｄが前後動するようになっており、図４（Ａ）に示すように、第１伝達部材３１の作用部３１ｄが遊技盤２の前面２ｂに近い前方位置に移動するときには、被作用部２１ｂも連動して前方に移動し、この作用部３１ｄの変位に応じて開閉部材２１が前方位置（閉鎖位置）に移動することとなる。一方、図４（Ｂ）に示すように、第１伝達部材３１の作用部３１ｄが遊技盤２の後面２ｃ側に近い後方位置に移動するときには、被作用部２１ｂも連動して後方に移動し、この作用部３１ｄの変位に応じて開閉部材２１が後方位置（開放位置）に移動することとなる。
【００３１】
そして、図３（Ａ）及び図４（Ａ）のように開閉部材２１が閉鎖位置にあるときには、閉鎖部２１ａが誘導路６０の上方で誘導口２０を塞ぐように遊技盤２の前方側（より詳しくは、後述する庇部８６の前方側）に突出して配されるようになっている。また、図３（Ｂ）及び図４（Ｂ）のように開閉部材２１が開放位置にあるときには、閉鎖部２１ａが誘導路６０の上方から退避し、誘導口２０を開放するように配されることとなる。そして、このように開放位置にあるときには、開閉部材２１の後端部２１ｃは、遊技盤２の後面２ｃと同位置又はこれよりも前方に位置するようになっている。なお、図４（Ｂ）等に示す例では、開閉部材２１が開放位置にあるときに、開閉部材２１の後端部２１ｃが遊技盤２の後面２ｃと前後方向においてほぼ同位置となる場合を示しているが、開閉部材２１が開放位置にあるときに開閉部材２１の後端が遊技盤２の後面２ｃよりもある程度離れた前側に位置するようになっていてもよい。
【００３２】
また、図４（Ｂ）のように、開閉部材２１が開放位置にあるときには、開閉部材２１の前端は、遊技盤２の前面２ｂよりも前方に位置するようになっている。より具体的には、後述する台板部材８５（筐体８０）において遊技盤２の前面２ｂの前方に突出するように庇部８６が形成されており、開閉部材２１は、開放位置のときに当該開閉部材２１における遊技盤２の前面２ｂの前方に突出する部分の大部分が庇部８６の下方側に配されるようになっている。なお、図４（Ｂ）の例では、開放位置のときに当該開閉部材２１の上面部前端が庇部８６の前端位置よりもやや後方となるように構成されていてもよく、開閉部材２１の上面部前端が庇部８６の前端位置よりもやや前方となるように構成されていてもよい。更に、本構成では、図４のように、伝達機構３０（後述）の作用を受ける被作用部２１ｂが、遊技盤２における前面２ｂと後面２ｃの間の厚み内で変位するようになっている。
【００３３】
次に、伝達機構３０について説明する。
伝達機構３０は、開閉部材２１と連動可能に構成され、駆動源４０の駆動力を受けて動作するとともに、開閉部材２１を閉鎖位置と開放位置とで変位させるように構成されている。この伝達機構３０は、筐体８０内における開閉部材２１の下方において上下方向に沿った回動軸線Ｇ１（図８等）回りに回動可能に保持され、且つ開閉部材２１と連動するように配置される第1伝達部材３１と、筐体８０内において上下方向に沿った中心軸Ｇ２（図８等）回りに回動可能に保持され、駆動源４０の駆動力を受けて動作すると共にその駆動力を第1伝達部材３１に伝達する第２伝達部材３２とを備えている。
【００３４】
開閉部材２１側に配置される第１伝達部材３１は、ポリアセタール等の樹脂により形成されており、図５、図７及び図８に示すように、全体としてＶ字状（へ字状）の形態をなし、その屈曲部分で連結される第１延長部３１ｂと第２延長部３１ｃとを備えている。この第１伝達部材３１は、屈曲部分が回動中心となるように、上ケース体８２に形成されたボス（軸）に挿通される回動軸孔３１ａが形成されており、第１延長部３１ｂは回動軸孔３１ａを中心とする半径方向に延出しており、第２延長部３１ｃは回動軸孔３１ａを中心とする半径方向であって第１延長部３１ｂとは異なる方向に延出している。図５、図７及び図８に示すように、第１延長部３１ｂの延出方向端部（先端部）には、回動軸孔３１ａ側に凹むＵ字状の作用部３１ｄが形成されており、第２延長部３１ｃの延出方向端部（先端部）には、回動軸孔３１ａ側に凹むＵ字状の被作用部３１ｅ（第１被作用部３１ｆ、第２被作用部３１ｇ）が形成されている。なお、被作用部３１ｅは、作用部３１ｄとの距離が近い位置に形成された第１被作用部３１ｆと、作用部３１ｄとの距離が遠い位置に形成された第２被作用部３１ｇとによって構成されている。
【００３５】
また、第１伝達部材３１の上面には、回動軸孔３１ａの上端部に開閉部材２１と対向し得る共に上方側にリング状に凸となる構成の回動軸線側当接部３１ｈと、第２延長部３１ｃの延出部において上方側に凸となる構成で、且つ回動軸線側当接部３１ｈから当該第２延長部３１ｃの延出方向に沿うように連続して延びる延出部側当接部３１ｉが形成されている。そして、図７（Ａ）に示すように、開閉部材２１が閉鎖位置に位置する時に、回動軸線側当接部３１ｈの前方側の一部と延出部側当接部３１ｉの全体とが、開閉部材２１に上下方向で対向するよう構成されている。一方で、図７（Ｂ）に示すように、開閉部材２１が開放位置に位置する時に、回動軸線側当接部３１ｈの後方側の一部が、開閉部材２１の対向部２１ｆに上下方向で対向するように構成されている。このような構成によって、開閉部材２１が閉鎖位置と開放位置との間で変位する際に、ガタつくことなく安定した動作をさせることができる。
【００３６】
この第１伝達部材３１は、開閉部材２１と連動可能に構成され、第２伝達部材３２から作用を受けて開閉部材２１を閉鎖位置と開放位置とで変位させるように機能している。具体的には、図７及び図８に示すように、第１伝達部材３１の被作用部３１ｅが、第２伝達部材３２の作用部３２ｃと嵌合状態（遊嵌状態）で連結しており、第２伝達部材３２の往復動（往復回動）に伴う作用部３２ｃの往復動と連動して被作用部３１ｅが回動することで第１伝達部材３１全体が水平回動動作するようになっている。そして、この第１伝達部材３１は、第２伝達部材３２の回動に応じて、図７（Ａ）に示すような回動位置（開閉部材２１を開放位置とする第１回動位置）と、図７（Ｂ）に示すような回動位置（開閉部材２１を閉鎖位置とする第２回動位置）とで、回動軸孔３１ａを中心として（より詳しくは上下方向の回動軸線Ｇ１（図８参照）を中心として）回動動作するようになっている。
【００３７】
そして、このような第１伝達部材３１の回動動作が開閉部材２１の直進動作に変換されるようになっている。上述したように、開閉部材２１は、前後方向に往復動可能となるように保持されており、第１伝達部材３１は、図７に示すように、自身の回動に伴って開閉部材２１に形成された被作用部２１ｂを前後に往復動させることで、開閉部材２１を前後に往復動させている。具体的には、第１延長部３１ｂが第２延長部３１ｃに比してある程度長く構成され、作用部３１ｄが回動軸孔３１ａからある程度遠い位置となっているため、開閉部材２１の回動動作に伴って作用部３１ｄがほぼ前後方向に往復動し、これと嵌合（遊嵌）する被作用部２１ｂも開閉部材２１の回動動作に伴って前後方向に往復動するようになっている。
【００３８】
第２伝達部材３２は、ポリアセタール等の樹脂により形成されており、第１伝達部材３１と連動可能に構成され、駆動源４０から駆動力を受けて動作すると共に第１伝達部材３１を変位（回動）させるように機能している。この第２伝達部材３２は、上下に対向する一対の壁部（上壁部３２ｇ及び下壁部３２ｈ）と、これら上壁部３２ｇ、下壁部３２ｈを連結する周壁部３２ｉと、上壁部３２ｇ及び下壁部３２ｈから上方及び下方にそれぞれ突出する回動軸３２ａとを備えている。更に、回動軸３２ａから所定距離隔てた位置において上方に突出するように軸状に構成される作用部３２ｃと、この作用部３２ｃの下方側において、プランジャ４２の先端部４２ａと嵌合する嵌合部３２ｊが形成されている。嵌合部３２ｊは、上壁部３２ｇの下面から下方に突出する突出部３２ｋと、下壁部３２ｈの上面から上方に突出する突出部３２ｌと、周壁部３２ｉとによって構成され、突出部３２ｋ、突出部３２ｌと周壁部３２ｉとによってプランジャ４２の先端部４２ａを左右方向に挟み込むように構成されている。そして、嵌合部３２ｊがプランジャ４２の先端部４２ａと嵌合することでプランジャ４２と第２伝達部材３２とが連動して動作するようになっている。プランジャ４２は、コイル部４１の駆動及び駆動解除に伴って左右方向に直線的に往復運動するようになっており、第２伝達部材３２は、プランジャ４２の変位に応じ、図７（Ａ）に示すような回動位置（開閉部材２１を開放位置とする第３回動位置）と、図７（Ｂ）に示すような回動位置（開閉部材２１を閉鎖位置とする第４回動位置）とで、上下方向に延びる回動軸３２ａを中心として回動運動するようになっている。
【００３９】
また、図５、図７及び図８に示すように、第２伝達部材３２には、ロック機構として軸状に構成される作用部３２ｃの外周壁から張り出す構成で第１伝達部材３１の被作用部３１ｅに対して当接可能な規制部３２ｆが形成されている。図８はロック機構が作用する図であるが、この図に示すように、規制部３２ｆは、作用部３２ｃの外周壁から当該作用部３２ｃの回動方向（中心軸Ｇ２を中心として作用部３２ｃを通る円Ｃ２（図７）の周方向）に沿った方向に延びると共に円Ｃ２の周方向に沿って移動するように構成されている。一方、第２被作用部３１ｇは、回動軸線Ｇ１を中心として第２被作用部３１ｇを通る円Ｃ１に沿って移動するようになっており、規制部３２ｆの移動方向と第２被作用部３１ｇの移動方向は互いに交差している。そして、開閉部材２１が閉鎖位置にあるときに、規制部３２ｆの大部分が第１被作用部３１ｆの先端部と第２被作用部３１ｇの先端部を結ぶ線よりも外側に配されるようになっている（即ち、規制部３２ｆの大部分が第１被作用部３１ｆと第２被作用部３１ｇとの間のＵ字形状の凹み部分よりも外側に配されるようになっており、特に、規制部３２ｆ付近を押圧する第２被作用部３１ｇと半径方向（回動軸線Ｇ１を中心とする半径方向）において第２被作用部３１ｇの先端面と当接するように規制部３２ｆが延出形態で配されている）。また、この規制部３２ｆは、作用部３２ｃの外周壁からわずかに中心軸Ｇ２から離れる向きに延出し、略直方体形状に形成されている。また、規制部３２ｆは、上端の高さが作用部３２ｃの上端よりも低くなっており、更に、図８のように、規制部３２ｆにおける第２被作用部３１ｇ側の外壁と作用部３２ｃにおける外周壁とによって断面Ｖ字状の溝が形成されている。
【００４０】
次に、駆動源４０について説明する。
図５等に示すように、駆動源４０は、通電可能なコイルを備えたコイル部４１と、プランジャ４２と、ばね部材４３とを備えている。この駆動源４０は、図４に示すように、開閉部材２１及び第１伝達部材３１の下方側において遊技盤２の前面２ｂよりも後側の領域且つ後面２ｃよりも前側の領域に配置されている。そして、コイル部４１によってプランジャ４２を駆動することにより、第２伝達部材３２を第１回動位置と第２回動位置とで変位させるように機能している。
【００４１】
プランジャ４２は、軸状に構成されると共に、その一部がコイル部４１に形成された孔部内に挿入されるようになっており、この孔部に沿って移動することによりコイル部４１に対して直線的に相対移動するようになっている。このプランジャ４２は、フランジ状に構成された先端部４２ａ（図５参照）が第２伝達部材３２と嵌合することで第２伝達部材３２に一体的に連結されており、第２伝達部材３２はプランジャ４２の変位に応じて回動運動するようになっている。
【００４２】
コイル部４１は、金属線が複数周巻き回されてなる中空状の金属コイルからなり、この金属コイルの通電、非通電が切り替えられることにより、励磁状態と非励磁状態とに切り替わるようになっている。このコイル部４１は、上ケース体８２と下ケース体８３とによって閉鎖された空間に収容されており、プランジャ４２はこの空間内において右方向に突出するように位置している。また、プランジャ４２は、コイル部４１が非励磁状態のときには、ばね部材４３（図５参照）によってプランジャ４２の先端部４２ａがコイル部４１から離間するように付勢され、所定の突出位置に維持されるようになっている。一方、コイル部４１が励磁状態のときには、プランジャ４２がコイル部４１内に引き込まれ、上記突出位置のときよりも突出量が小さくなる状態（没入位置）で維持される。このように、プランジャ４２は、このコイル部４１の通電状態に応じてコイル部４１内に引き込まれた没入位置とこの没入位置のときよりもコイル部４１から突出する突出位置との間で左右に直線的に移動するようになっている。なお、本実施形態において、駆動力を発生させる手段としてコイル部４１（被通電部）及びプランジャ４２（可動部材）からなる駆動源４０を示したが、電磁石を被通電部とし、フラッパーを可動部材とするフラッパーソレノイドを用いる構成としてもよい。この場合、フラッパーを伝達機構３０と連係する構成とすることで駆動力を伝達機構３０に伝達することができる。
【００４３】
次に、筐体８０について説明する。
筐体８０は、入賞装置１０の外殻をなすものであり、例えばポリカーボネート等の樹脂材料などによって箱状に構成され、開閉部材２１、駆動源４０、第１伝達部材３１、第２伝達部材３２及び球検出部６２等が収容される。この筐体８０は、図２〜図６に示すように、遊技盤２に固定される台板部材８５と、台板部材８５を前後方向に貫通して配置され、第１伝達部材３１を下方側から支持する上ケース体８２と、上ケース体８２の下側に配置され、駆動源４０及び第２伝達部材３２を下方側から支持する下ケース体８３とを備えている。そして、これらがねじ等の締結部材によって一体的に組付けられている。また、これら上ケース体８２及び下ケース体８３の前方側には、前面に図柄等が施される前飾り部材８７が設けられ、上ケース体８２及び下ケース体８３に一体的に組み付けられている。
【００４４】
この筐体８０は、図４に示すように、開閉部材２１、第１伝達部材３１、第２伝達部材３２、駆動源４０を内部に収容して直接的に保持するように構成されている。具体的には、台板部材８５と上ケース体８２とによって閉鎖された空間内を移動し得るように第１伝達部材３１が組み付けられ、上ケース体８２と下ケース体８３とによって閉鎖された空間に第２伝達部材３２及び駆動源４０が組み付けられている。
【００４５】
図２及び図３に示すように、筐体８０の上面部には、遊技盤２の前面２ｂ（図４等）に沿うように誘導樋５０が形成されている。この誘導樋５０は、図３（Ａ）に示すように開閉部材２１が閉鎖位置にあるときに当該開閉部材２１の下流側に隣接して配置するように構成されている。そして、筐体８０において誘導樋５０の上流側に隣接して形成される開口部が誘導口２０となっている。この誘導口２０は、入賞口として機能する部分であり、当該誘導口２０を遊技球Ｂが通過したときにこの通過した遊技球Ｂが球検出部６２によって検出され、所定の遊技（例えば賞球の払い出し）が行われるようになっている。
【００４６】
具体的には、図２及び図３に示すように、前飾り部材８７の周壁部の一部をなす上側の上壁部８７ｂが誘導樋５０の底壁部となっている。また、誘導樋５０は、この前飾り部材８７の上壁部８７ｂと、台板部材８５の台板８５ａとによって構成されており、上壁部８７ｂ上を左方向に転がるように遊技球Ｂが流下するようになっている。この誘導樋５０では、前飾り部材８７の上壁部８７ｂの右側端部と、上ケース体８２の左側壁部８２ｐと、上ケース体８２の右側壁部８２ｎと左側壁部８２ｐとの間を左右方向に亘って形成される内側壁部８２ｄとによって誘導口２０が形成されており、これらによって囲まれる開口領域が遊技球Ｂの取り込み口となっている。なお、誘導口２０の前側には、図示しない透明板（ガラス板等）が配置されている。
【００４７】
この構成では、図２及び図３に示すように開閉部材２１が閉鎖位置にあるときには、開閉部材２１上に流下してきた遊技球Ｂが、開閉部材２１の上を転がり、誘導樋５０側に導かれることとなる。なお、図２等に示す例では、誘導樋５０は、誘導口２０側が高位となるように傾斜しているが、反対に傾斜するように形成されていてもよい。即ち、誘導口２０側が低位となり、誘導口２０とは反対側が高位となるように形成されていてもよい。このようにすると、誘導樋５０上を転がる遊技球Ｂが誘導口２０側に導かれやすくなる。
【００４８】
また、図３（Ｂ）及び図４に示すように、筐体８０の内部には、誘導口２０側を上流側として当該誘導口２０から進入する遊技球Ｂを下流側に設けられた排出部６０ａ（図６（Ｂ）参照）へ誘導する誘導路６０が形成されている。図２〜図４に示すように、誘導路６０は、前飾り部材８７の前飾り板８７ａと、上ケース体８２の前側底壁部８２ｃ、右側壁部８２ｎ、左側壁部８２ｐ、内側壁部８２ｄ及び球通路８２ｑと、下ケース体８３の球通路８３ｃと、下ケース体８３の内部に収容される球検出部６２などによって構成される。この誘導路６０は、遊技球Ｂを１球ずつ通す流路として機能しており、具体的には、前飾り部材８７の前飾り板８７ａの後方側且つ上ケース体８２の内側壁部８２ｄの前方側において、上ケース体８２の前側底壁部８２ｃの上部を球通路８２ｑに向かって遊技球Ｂ（誘導口２０から進入した遊技球Ｂ）が通るようになっている。また、上ケース体８２における前側底壁部８２ｃは、球通路８２ｑ側が低位になるように傾斜している。また、球通路８２ｑ内の壁部には、遊技球Ｂを後方側に誘導する凸状形態のレール部８２ｓが設けられている（図３（Ｂ）及び図６（Ａ）参照）。そして、レール部８２ｓの後方には、誘導路６０内に面する部分において球通過孔６２ａ（図５参照）が前後方向に連通するように球検出部６２が配置されている。また、上ケース体８２の球通路８２ｑに連通するように下ケース体８３の球通路８３ｃが配置され、球通路８３ｃによって構成される排出部６０ａを通過した遊技球Ｂが入賞装置１０から排出されるように構成されている。
【００４９】
前飾り部材８７は、図２、図３及び図５に示すように、遊技盤２の前面２ｂと略平行に配置される板状の前飾り板８７ａと、当該前飾り板８７ａから後方に突出する板状の上壁部８７ｂとを備えている。また、前飾り部材８７の上壁部８７ｂは、左側が下がるように（誘導口２０と反対側となるにつれて下方位置となるように）傾斜して設けられている。
【００５０】
台板部材８５は、図２〜図５に示すように、遊技盤２の前面２ｂに隣接して配置される板状の台板８５ａと、この台板８５ａから後方に突出する略板状の突出部８５ｂ（図３参照）と、開閉部材２１の開閉動作時に前後方向への動作をガイドする前側ガイド部８７ｃとを備えている。また、台板８５ａの中央部分には、後述する上ケース体８２及び下ケース体８３が嵌まり込んだ状態で組み付けられるようになっている。具体的には、図４及び図５に示すように、台板８５ａを厚さ方向（前後方向）に貫通する貫通孔８５ｃが形成されている。
【００５１】
上ケース体８２は、図４〜図６に示すように、前後左右の四方を囲むような周壁部８２ａによって構成されており、上下両方向から内部に部品を組み付けて収容できるように所定の空間が形成されている。そして、上方からは、第１伝達部材３１を組み付けて収容し、下方からは第２伝達部材３２及び駆動源４０を組み付けて収容している。また、上ケース体８２の後方側の周壁部８２ａにおいて中央部分には下方側に凹むように構成され且つ後述する作用部３１ｄが出入り可能となるように構成された切欠状の後側開口部８２ｅが形成されている。また、上ケース体８２の上面部左端側には、前後方向に延びるリブ状に構成され且つ開閉部材２１の左端部をガイドするように構成された左側ガイド部８２ｆが形成され、上ケース体８２の上面部右端側には、前後方向に延びるリブ状に構成され且つ開閉部材２１の右端部をガイドするように構成された右側ガイド部８２ｇが形成されている。また、図６に示すように上ケース体８２の後側底壁部８２ｂにおける中央部分付近において、第１延長部３１ｂの動作をガイドするように前後方向（開閉部材の移動方向）に延びるリブ状に構成された内側ガイド部８２ｈが形成されている。また、上ケース体８２の後側底壁部８２ｂには、右側壁部８２ｎの後方端部に隣接する位置に、第２伝達部材３２の回動軸３２ａが挿通支持されるように上下方向に貫通する貫通孔８２ｉが形成されている。また、上ケース体８２の後側底壁部８２ｂには、右側壁部８２ｎに隣接して第１伝達部材３１の回動軸孔３１ａに挿通する突出部８２ｊが軸状に突出形成されている。また、上ケース体８２の突出部８２ｊの前方側には、第２伝達部材３２の作用部３２ｃを下方側から挿通させると共に所定範囲内で変位させるように、後側底壁部８２ｂの一部を上下方向に貫通する切欠部８２ｋが形成されている。
【００５２】
また、上ケース体８２には、図６に示すように、前後方向に延びる略直方体状の補助ストッパー８２ｒが形成されている。補助ストッパー８２ｒは、後側底壁部８２ｂの右側端部付近から上方に突出すると共に、内側壁部８２ｄの前方側から後方に突出するように構成されている。また、補助ストッパー８２ｒは、第２伝達部材３２の規制部３２ｆが第１伝達部材３１を規制する際に移動又は変形しようとした場合に、規制部３２ｆが移動経路を離脱するのを阻止する位置にあり、規制部３２ｆの移動及び変形を抑制するように機能している。具体的には、補助ストッパー８２ｒは、開閉部材２１が閉鎖位置にある状態で当該開閉部材２１を開放位置に変位させようとする外力が加えられ、不正開放を阻止する規制部３２ｆが移動または変形しようとして、規制部３２ｆの移動経路から離脱しそうになった場合に、規制部３２ｆが補助ストッパー８２ｒに当接して当該規制部３２ｆを支持することで当該規制部３２ｆが第１伝達部材３１の押圧に応じて被作用部３１ｅ（第２被作用部３１ｇ）の係合（ロック状態）が外れないように円Ｃ２の軌跡外に移動及び変形することを抑制（阻止）することが可能である。
【００５３】
下ケース体８３は、図４、図５及び図６（Ｂ）に示すように、上方の壁部を除く略直方体状に形成され、上方から内部に部品を組み付けて収容できるように所定の空間が形成され、左側下方には、前後方向に貫通する球通路８３ｃが設けられている。そして、上方からは、第２伝達部材３２及び駆動源４０を組み付けて収容して、上ケース体８２の下方側に組み付けられる。また、下ケース体８３の後方の周壁部８３ａには上側切欠部８３ｂが形成されており、上ケース体８２に形成された下側切欠部８２ｍと共に筐体８０の後方側において前後方向に貫通する貫通孔を構成している。そして、当該貫通孔は、駆動源４０のコイル部４１の後方に位置することによって、駆動源４０の動作によって生じた熱の放出効率を向上させることができる。なお、駆動源４０は、プランジャ４２の突出方向が左右方向となるように（プランジャ４２の先端部４２ａが右方向を向くように）下ケース体８３に配置されている。但し、駆動源４０は、このような向きに配置される構成として限定されない。
【００５４】
また、図２〜図５に示すように、台板部材８５の台板８５ａには、開閉部材２１の上方において、遊技盤２ａの前方に延出する庇部８６が設けられている。具体的には、庇部８６は、台板部材８５の台板８５ａに形成された貫通孔８５ｃ（図４、図５参照）の上側の縁に沿うように設けられており、上面が前方に向かって低位置となるように傾斜している。これによって、開閉部材２１が閉鎖位置に位置する際は、図４（Ａ）に示すように、庇部８６は開閉部材２１の閉鎖部２１ａの真上に位置し、開閉部材２１が開放位置に位置する際は、図４（Ｂ）に示すように、庇部８６は開閉部材２１の前端を上方から覆うように位置している。
【００５５】
また、本構成の筐体８０には、図６に示すように、第１伝達部材３１と干渉を回避するための後側開口部８２ｅが形成されている。後側開口部８２ｅは、図６に示すように、上ケース体８２の後側の周壁部８２ａに、開閉部材２１と第１伝達部材３１の一部を後側に投影した形状の貫通孔として形成されている。そして、図４（Ａ）に示すように、開閉部材２１が閉鎖位置に位置する際に、第１伝達部材３１の作用部３１ｄが後側開口部８２ｅに前方側から入り込む構成になっている。このような構成によって、第１伝達部材３１が筐体８０と干渉することを回避し、第１伝達部材３１、第２伝達部材３２及び開閉部材２１の可動域を広げることができ、開閉部材２１の被作用部２１ｂを筐体８０内において遊技盤２の厚み内で変位するように構成することが可能となる。
【００５６】
本実施形態の構成では、図７（Ａ）に示すように、開閉部材２１が閉鎖位置に位置する場合には、規制部３２ｆが、第１伝達部材３１の被作用部３１ｅ（第２被作用部３１ｇ）に当接する位置となり、図７（Ｂ）に示すように、開閉部材２１が開放位置に位置する場合には、第２伝達部材３２の作用部と同様に、第１伝達部材３１の被作用部３１ｅのＵ字形状部分（即ち、第１被作用部３１ｆと第２被作用部３１ｇとの間の凹み）に収まるように構成されている。なお、駆動力を開閉部材２１に伝達する伝達機構は、複数の部材（実施形態では第１伝達部材３１及び第２伝達部材３２の２部材）によって構成される形態に限られず、駆動力を１つの伝達部材によって開閉部材に伝達する構成としてもよい。また、本実施形態では、ロック機構が第１伝達部材３１と第２伝達部材３２とによって構成されるが、開閉部材２１と隣接する第１伝達部材３１とによってロック機構が構成されてもよい。
【００５７】
（遊技機用可変入賞装置の開閉動作）
次に、入賞装置１０の開閉動作について説明する。
入賞装置１０は、コイル部４１が通電されていないときには、コイル部４１によるプランジャ４２の吸引作用が生じず、ばね部材４３の付勢によってプランジャ４２が突出位置に維持され、これにより第２伝達部材３２が、図７（Ａ）に示すような回動位置（開閉部材２１を開放位置とする第３回動位置）で維持されることになる。そして、第２伝達部材３２がこのような回動位置にあるときには、第１伝達部材３１の被作用部３１ｅが第２伝達部材３２の作用部３２ｃに連動して保持されるため、第１伝達部材３１は、図７（Ａ）に示すような回動位置（上述の第１回動位置）で維持されることになる。そして、第１伝達部材３１がこのような回動位置にあるときには、前方側にある第１伝達部材３１の作用部３１ｄに対応する前方位置で開閉部材２１の被作用部２１ｂが保持されるため、開閉部材２１は、図３（Ａ）、図４（Ａ）、図７（Ａ）に示すように遊技盤２の前方側に大きく突出して誘導口２０を閉鎖する閉鎖位置で維持されることになる。
【００５８】
一方、コイル部４１が通電されると、ばね部材４３の付勢に抗してプランジャ４２がコイル部４１内に引き込まれ、プランジャ４２が没入位置に移動する。このとき、第２伝達部材３２は、回動軸３２ａを中心として回動し、図７（Ｂ）に示すような回動位置（開閉部材２１を閉鎖位置とする第４回動位置）で維持されることになる。そして、第２伝達部材３２がこのような回動位置にあるときには、第１伝達部材３１の被作用部３１ｅが第２伝達部材３２の作用部３２ｃに連動して保持されるため、第１伝達部材３１は、図７（Ｂ）に示すような回動位置（上述の第２回動位置）で維持されることになる。そして、第１伝達部材３１が上記第２回動位置にあるときには、後方側にある第１伝達部材３１の作用部３１ｄに対応する後方位置で開閉部材２１の被作用部２１ｂが保持されるため、開閉部材２１は、図３（Ｂ）、図４（Ｂ）に示すように大部分が遊技盤２の後方側に退避し、誘導口２０を開放する開放位置で維持されることになる。
【００５９】
このとき、規制部３２ｆは第１伝達部材３１の移動経路上（具体的には、被作用部３１ｅの移動経路上）から退避しつつ作用部３２ｃ（押圧作用部）が第１伝達部材３１を押圧することで、規制部３２ｆが第１伝達部材３１の移動を規制せずに第１伝達部材３１が回動し、その回動動作に連係して開閉部材２１が開放位置へ移動する。
【００６０】
本実施形態の構成では、上述したように、駆動源４０の駆動力を受けて第２伝達部材３２が動作するときには、第１伝達部材３１及び開閉部材２１の連係動作が許容されて開閉部材２１が開閉するようになっている。例えば、図７（Ａ）のように開閉部材２１が閉鎖位置にあるときにコイル部４１が通電されてプランジャ４２が駆動するときには、図７（Ｂ）のように規制部３２ｆは、第２伝達部材３２の回動動作に応じて補助ストッパー８２ｒに規制されない第１経路を通るようになっている。即ち、補助ストッパー８２ｒは、規制部３２ｆの第１経路上から外れた位置にあり、第１伝達部材３１及び第２伝達部材３２の移動を規制することはない。このように、補助ストッパー８２ｒによって第２伝達部材３２の回動動作を規制しないため、作用部３２ｃ（押圧作用部）が第１伝達部材３１を押圧し、規制部３２ｆが第１伝達部材３１の移動を規制することもなく、第１伝達部材３１の回動動作に連係して開閉部材２１が開放位置へ移動するようになっている。
【００６１】
そして、再びコイル部４１を非通電状態にすると、ばね部材４３の付勢によってプランジャ４２が突出位置に変位し、各構成部材が連動して、第１伝達部材３１は上述の第１回動位置に、第２伝達部材３２は上述の第３回動位置に、開閉部材２１は誘導口２０を閉鎖する閉鎖位置に変位することになる。
【００６２】
（遊技機用可変入賞装置のロック動作）
次に、入賞装置１０のロック動作について説明する。
図７（Ａ）のように開閉部材２１が閉鎖位置に位置する時に不正行為等により開閉部材２１を閉鎖位置から開放位置へ移動させようとする外力が働いた場合、開閉部材２１が後方側に移動しようとすることに応じて被作用部２１ｂが後方側に向かおうとし、これに応じて第１伝達部材３１が所定方向（上方側から見て時計回り）に回動しようとする。この時、第１被作用部３１ｆは作用部３２ｃから離間する方向に移動しようとし、その一方で、第２被作用部３１ｇは、作用部３２ｃと当接している方向に移動しようとして、当該作用部３２ｃを押圧することになる。
【００６３】
詳しくは、第２被作用部３１ｇが作用部３２ｃ（実線で示す作用部３２ｃ）を押圧するときには、図８に示すように、第２被作用部３１ｇの移動経路は円Ｃ１（回動軸線Ｇ１を中心とし、第２被作用部３１ｇを通る円）の方向であり、図８の状態での第２被作用部３１ｇの移動方向は円Ｃ１における第２被作用部３１ｇでの接線方向（矢印Ｆａの方向）となる。このときの第２被作用部３１ｇによる押圧力（移動経路）は、中心軸Ｇ２を中心とする周方向（矢印Ｆｂの方向）の成分と中心軸Ｇ２を中心とする半径方向の成分とを含むことになる。しかしながら、作用部３２ｃ及び規制部３２ｆは、中心軸Ｇ２を中心として回動するようになっているため、作用部３２ｃが第２被作用部３１ｇによる押圧力を受けたときには、作用部３２ｃ及び規制部３２ｆは中心軸Ｇ２を中心とする周方向（円Ｃ２に沿った方向）のみに移動しようとする。
【００６４】
一方、第２被作用部３１ｇは作用部３２ｃ及び規制部３２ｆの回動中心（中心軸Ｇ２）とは異なる回動軸線Ｇ１を中心として回動するように構成され、規制部３２ｆにおける規制面（第２被作用部３１ｇの先端付近と当接する面）の移動経路（中心軸Ｇ２を中心とし、作用部３２ｃの中心を通る円Ｃ２）と第２被作用部３１ｇの先端部の移動経路（回動軸線Ｇ１を中心とし、当該先端部を通る円Ｃ１）とが交わるようになっている。つまり、第２被作用部３１ｇの先端部は、この先端部が当接する上記規制面の移動方向（矢印Ｆｂの方向）と交差する方向（円Ｃ１における、第２被作用部先端での接線方向、即ち矢印Ｆａの方向）に移動しようとする。その一方で、第２被作用部３１ｇの内壁によって押圧される作用部３２ｃは第２被作用部３１ｇに対して当該第２被作用部３１ｇの内壁に沿って相対移動しようとし、凹部（第１被作用部３１ｆと第２被作用部３１ｇの間の凹部）の奥側に入り込もうとする。しかしながら、このように作用部３２ｃが第２被作用部３１ｇの内壁に沿って凹部奥側に移動しようとするときには、規制部３２ｆは、第２被作用部３１ｇの先端外側に当接し、作用部３２ｃが移動しようとする方向（即ち、上記凹部の奥側の方向）に移動することができないため、規制部３２ｆは、図８に示すような位置（第２被作用部３１ｇの先端と当接する位置）において楔状に嵌り込む形態で保持され続ける。即ち、この構成では、中心軸Ｇ２を中心とし、作用部３２ｃの中心を通る円Ｃ２よりも、回動軸線Ｇ１を中心とし、第２被作用部３１ｇを通る円Ｃ１のほうが前方位置にまで及ぶようになっており、第２被作用部３１ｇの移動経路のほうが作用部３２ｃの移動経路（規制部３２ｆの移動経路）よりも前方位置に構成されている。つまり、規制部３２ｆは、第２被作用部３１ｇによって自身の移動経路（円Ｃ２の経路）よりも外側に押されても自身の移動経路（円Ｃ２の経路）よりも前方位置に移動することができず、このような移動規制によってロックされることになる。そして、このように規制部３２ｆが第２被作用部３１ｇの移動経路上（矢印Ｆａの方向）に位置し続けるため、第２被作用部３１ｇの移動が阻害され、これにより、第１伝達部材３１の回動も阻害されることになる。従って、開閉部材２１は、規制部３２ｆによって変位が規制されている位置（図８参照）を超えて開放位置側に向かうことがなく、不正開放が阻止される。また、ロック位置としては、図８に示すように、規制部３２ｆ（実線で示す規制部３２ｆ）が中心軸Ｇ２の略前方位置となるように形成されているので、規制部３２ｆはほとんど前方へ移動しないことになり、前後方向の動作スペース増大を抑えて効果的にロック機構を形成することができる。また、上下方向で平行に延びる回動軸（回動軸線Ｇ１、中心軸Ｇ２）を有する２つの部材によって、ロック機構を形成することで、伝達機構の拡大化を抑制して筐体内に配置することができる。
【００６５】
しかしながら、第１伝達部材３１，第２伝達部材３２がポリアセタール等の樹脂により形成されているため、さらに開閉部材２１を閉鎖位置から開放位置へ移動させようとする外力が働いた場合、規制部３２ｆは、第１伝達部材３１（第２被作用部３１ｇ）からの押圧に応じて第１経路を離脱して補助ストッパー８２ｒ側に移動する第２経路に移動しようとする。即ち、第１伝達部材３１が所定方向（図７の時計回り）に回動しようとして、これに応じて第２被作用部３１ｇが規制部３２ｆを押圧することで、規制部３２ｆ（作用部３２ｃ）は前方側（即ち、補助ストッパー８２ｒが配置される側）に向かおうとするため、補助ストッパー８２ｒは当該規制部３２ｆの第２経路上に位置する構成となっている。そして、図８に示すように、第２被作用部３１ｇが規制部３２ｆと当接している方向に移動しようとして当該規制部３２ｆを押圧する場合には、当該規制部３２ｆ（作用部３２ｃ）が第１経路を離脱する方向に移動したり、あるいは、当該規制部３２ｆ（作用部３２ｃ）に変形（捻れや曲がり等）が生じる場合が考えられる（図８において、破線で示す作用部３２ｃ’から実線で示す作用部３２ｃに移動あるいは変形する場合（なお、第２伝達部材３２の移動あるいは変形する前の状態は、破線３２’、３２ａ’、３２ｃ’、３２ｆ’で示す））。このとき、補助ストッパー８２ｒは、当該規制部３２ｆの第２経路上に位置する構成となっているため、補助ストッパー８２ｒに規制部３２ｆが当接して当該規制部３２ｆを支持することになる。これによって、補助ストッパー８２ｒは、規制部３２ｆが第２被作用部３１ｇの押圧に応じて移動及び変形（捻れや曲がり等）することを阻止（抑制）する。言い換えれば、規制部３２ｆが第２被作用部３１ｇの押圧に応じて第１経路から離脱することを阻止（抑制）する。従って、規制部３２ｆが第１伝達部材３１の移動経路上から離脱することがなく、第１伝達部材３１の移動を阻止（抑制）し続けることができる。これによって、規制部３２ｆと第２被作用部３１ｇとの係合（ロック状態）が解除されることがなくなり、第２被作用部３１ｇの移動を阻止（抑制）しロック状態を維持し続けることができ、ひいては開閉部材２１の不正開放を確実に抑止又は防止することができる。
【００６６】
[第２実施形態]
上記第１実施形態では、第２伝達部材が上下方向の中心軸を中心として回動する構成を例示したが、第２伝達部材は、左右方向に沿ってスライド可能に保持されていてもよい。図９は、このような構成を例示するものであり、この構成では、第２伝達部材以外の構成は第１実施形態と同様であるため、適宜、図１〜図８を参照し、詳細な説明は省略する。この構成では、第２伝達部材１３２が筐体８０と同様の筐体により左右方向にスライド可能となるように保持されており、図９のように開閉部材２１（図５等参照）が閉鎖位置にあるときに駆動源４０においてプランジャ（上記実施形態と同様のプランジャであり、図９では図示略）が引き込まれたときには、矢印Ｆ１のように作用部１３２ｃがコイル部４１側に移動して第１被作用部３１ｆをコイル部４１側に押圧し、これに伴い第１伝達部材３１が時計回りに回動するようになっている。また、作用部１３２ｃ（即ち、作用部１３２ｃの後方側の面として構成される規制部１３２ｆ）が第１伝達部材３１の移動経路上（具体的には、被作用部３１ｅの移動経路上）から退避するようになっている。更に、規制部１３２ｆは、第２伝達部材１３２のスライド動作に応じて補助ストッパー８２ｒに規制されない経路を通るようになっている。即ち、補助ストッパー８２ｒは規制部１３２ｆの移動経路上から離脱した位置に設けられている。言い換えれば、補助ストッパー８２ｒは、ロック機構がロックした際に、ロック機構の変形または移動を阻止（抑制）する位置（作用部１３２ｃの前方の近接位置）に設けられている。
【００６７】
一方、図９のように開閉部材２１が閉鎖位置にあるときに開閉部材２１を開放位置に移動させようとする外力が加えられた場合には、これに伴い第１伝達部材３１の第２被作用部３１ｇが矢印Ｆ２の方向に移動しようとするが、この移動が作用部１３２ｃによって阻害されるため、第１伝達部材３１の回動が規制され、開閉部材２１の開放が阻止される。そして、さらに開閉部材２１を開放位置に移動させようとする外力が加えられ、作用部１３２ｃが第２被作用部３１ｇをさらに押圧した場合には、作用部１３２ｃが第２被作用部３１ｇの移動経路（円Ｃ１によって描かれる経路）を外れる方向（作用部１３２ｃが押される前方向）に変形または移動しようとするが、補助ストッパー８２ｒが第２伝達部材１３２の移動経路（矢印Ｆ１の方向）を離脱して作用部１３２ｃの前方の近接位置に設けられているため、作用部１３２ｃが補助ストッパー８２ｒに当接して当該作用部１３２ｃを支持することになる。これによって、補助ストッパー８２ｒは、作用部１３２ｃが第２被作用部３１ｇの押圧に応じて移動及び変形（捻れや曲がり等）することを抑制する。従って、作用部１３２ｃが第２伝達部材３２の移動経路上から離脱することがなく、第１伝達部材３１の移動を規制してロック状態を維持し続けることができ、開閉部材２１の不正開放を確実に抑止又は防止することができる。
【００６８】
[第３実施形態]
次に、第３実施形態について主に図１０を参照して説明する。
第３実施形態は、開閉部材の形状を第１実施形態のものと異ならせ、開閉部材と第１伝達部材又は第２伝達部材との関係でロック機構が構成される点が第１実施形態と異なりそれ以外は第１実施形態と同一である。よって第１実施形態と同一の部分については第１実施形態と同一の符号を付し、詳細な説明は省略する。また、適宜図１〜図８を参照することとする。
【００６９】
第３実施形態で用いられる開閉部材（図示略）は、規制部２２１ｆが設けられた点のみが第１実施形態と異なっており、それ以外は第１実施形態で用いられる開閉部材２１と同一である。よって、開閉部材において第１実施形態の開閉部材２１と同様の部分については第１実施形態と同一の符号を付し、詳細な説明を省略する。
【００７０】
本実施形態でも、第１伝達部材３１は、閉鎖部２１ａ（図４等参照）の下面側に配置されており、閉鎖部２１ａにおける第１伝達部材３１側の面には、被作用部２１ｂに加え、下方側に突出する形態で規制部２２１ｆが形成されている。この規制部２２１ｆは、図１０（Ａ）のように開閉部材２１が閉鎖位置にあるときに第２伝達部材３２の作用部３２ｃの前方側に隣接するようになっている。また、補助ストッパー８２ｒは、当該規制部２２１ｆの移動経路を離脱した前方位置に位置する構成となっている。
【００７１】
そして、図１０（Ａ）のように開閉部材２１が閉鎖位置にある状態で駆動源４０による駆動力を受けて第２伝達部材３２が変位したときには、第２伝達部材３２及び第１伝達部材３１における規制部２２１ｆに隣接する部分が左右方向に移動し、図１０（Ｂ）のように規制部２２１ｆの移動経路上から第２伝達部材３２及び第１伝達部材３１が退避した上で、破線２２１ｆ’から実線２２１ｆのように規制部２２１ｆが移動するようになる。このように、駆動源４０によって駆動される通常動作時には、規制部２２１ｆの移動が第２伝達部材３２及び第１伝達部材３１によって阻害されないため、開閉部材２１は問題なく開放位置へ移動することができる。
【００７２】
一方、図１０（Ａ）のように開閉部材２１が閉鎖位置にある状態で開閉部材２１を開放位置に変位させようとする外力が加えられた場合には、図１０（Ａ）のように第２伝達部材３２が規制部２２１ｆの移動経路上（即ち、後方側）に位置した状態のまま開閉部材２１が後方に移動しようとするため、規制部２２１ｆが作用部３２ｃに当接し、規制部２２１ｆの移動が阻害されることになる。更に、開閉部材２１を開放位置に変位させようとする外力が加えられた場合には、作用部３２ｃの押圧により規制部２２１ｆを前方に移動又は変形（捻れや曲がり等）させようとするが、規制部２２１ｆが補助ストッパー８２ｒに当接して当該補助ストッパー８２ｒが規制部２２１ｆを支持することになる。これによって、規制部２２１ｆが作用部３２ｃの押圧に応じて移動及び変形（捻れや曲がり等）することを阻止（抑制）する。従って、規制部２２１ｆが第１伝達部材３１の移動経路上から離脱することがなく、第１伝達部材３１の移動を規制しロック状態を保持し続けることができ、開閉部材２１の不正開放を確実に抑止又は防止することができる。
【００７３】
[他の実施形態]
上記実施形態では、第１伝達部材３１が上下方向に沿った回動軸線回りに回動可能に保持される構成を例示したが、左右方向に沿った回動軸線回りに回動可能に保持される構成とすることができる。
【００７４】
上記実施形態では、第１伝達部材３１等が開閉部材の下方に位置する構成を例示したが、開閉部材の上面側に被作用部を形成するような構成では第１伝達部材、第２伝達部材、駆動源などを開閉部材の上方側に配置する構成とすることができる。また、開閉部材の左右端部側に被作用部を形成するような構成では、第１伝達部材、第２伝達部材、駆動源などを開閉部材の側方寄りに配置する構成とすることができる。
【符号の説明】
【００７５】
１…遊技機
２…遊技盤
２ｂ…前面
２ｃ…後面
１０…遊技機用可変入賞装置（入賞装置）
２０…誘導口
２１…開閉部材
２１ａ…閉鎖部
２１ｂ…被作用部
２１ｃ…後端部
３０…伝達機構
３１…第1伝達部材
３２，１３２…第２伝達部材
３２ｆ，１３２ｆ，２２１ｆ…規制部
３２ｃ，１３２ｃ…作用部（押圧作用部）
４０…駆動源
４１…コイル部（被通電部）
４２…プランジャ（可動部材）
８０…筐体
８２ｒ…補助ストッパー
Ｂ…遊技球
Ｇ１…回動軸線
Ｇ２…中心軸
【図１】
2014136092.tif 000003
【図２】
2014136092.tif 000004
【図３】
2014136092.tif 000005
【図４】
2014136092.tif 000006
【図５】
2014136092.tif 000007
【図６】
2014136092.tif 000008
【図７】
2014136092.tif 000009
【図８】
2014136092.tif 000010
【図９】
2014136092.tif 000011
【図１０】
2014136092.tif 000012